(57)【要約】【課題】    筆記具は衣服のポケットやペンケース等に収納して携帯されることが多いが、ペン先又は筆記時にペン先への視認性を確保する為に先細り形状にされた軸筒が収納具を傷めてしまう。また、両頭式筆記具では、ノック式筆記具と間違えてノックしようとした指をペン先又は先細り形状の軸筒で傷めてしまうこともある。そこで、両頭式筆記具の両端部に蓋を被せる方式にすると、蓋の付け外しや保管が煩わしく、また子供の蓋誤飲問題も考慮する必要がある。【解決手段】  棒状の筆記具（１）及び筆記具（１１）の長手方向の一端部（２）及び一端部（１２）をそれぞれ、中間部（１４）又は他端部（１６）の収容部（１５）、及び中間部（４）又は他端部（６）の収容部（５）に挿入して携帯する。【選択図】         図２
2013078870.tif 000002
【特許請求の範囲】
【請求項１】
棒状の第１筆記具の長手方向の第１一端部に備えられる第１ペン先と、
前記第１筆記具の長手方向の第１中間部又は第１他端部に備えられる第１収容部と、
棒状の第２筆記具の長手方向の第２一端部に備えられる第２ペン先と、
前記第２筆記具の長手方向の第２中間部又は第２他端部に備えられる第２収容部と、
を具備し、
前記第１及び第２筆記具が分離されそれぞれ筆記具として機能する分離状態と、
前記分離状態から前記第１及び第２一端部をそれぞれ前記第２及び第１収容部に挿入することで、前記第１及び第２一端部がそれぞれ前記第２及び第１収容部に同時に収容された収容状態と、
前記収容状態を保持して前記分離状態への状態変化を妨げる保持力と、
を有する、
筆記具。
【請求項２】
前記収容状態において、棒状の前記第１及び第２筆記具は略同心となる、
請求項１に記載の筆記具。
【発明の詳細な説明】
【技術分野】
【０００１】
本発明は、筆記具に関する。
【背景技術】
【０００２】
筆記具においては、特許文献１の実施例のように、ペン先が備えられる一端部を蓋に収容自在な２本の棒状の筆記具が同心となるようにそれぞれの他端部に備えられた雌ネジ及び雄ネジを螺合させることで両頭式筆記具の形態となり、携帯しやすくなるアイデアが知られている。
【０００３】
また、筆記具においては、特許文献２の実施例のように、両端部の軸筒が先細り形状であり、軸筒内から出し入れ自在なペン先が備えられる両頭式筆記具のアイデアが知られている。
【先行技術文献】
【特許文献】
【０００４】
【特許文献１】実登３１３８９２０号公報
【特許文献２】特開２００８−３０７８０３号公報
【発明の概要】
【発明が解決しようとする課題】
【０００５】
筆記具においては、移動時に衣服のポケットやペンケース等に収納して携帯されることが多いが、一端部のペン先又は筆記時にペン先への視認性を確保する為に先細り形状にされた一端部の軸筒が収納具を傷めてしまうことがある。また、例えば特許文献２の実施例のような両頭式筆記具では、ノック式筆記具と間違えてノックしようとした指をペン先又は先細り形状の軸筒で傷めてしまうこともある。そこで、両頭式筆記具の両端部のペン先又は軸筒の少なくともいずれかに蓋を被せる方式にすると、蓋をしていれば収納具や指を傷めにくい設計が容易であるが、蓋の付け外しや保管は煩わしく、また子供の蓋誤飲問題も考慮する必要がある。また、複式筆記具では一端部に複数のペン先を備え操作部で選択して１つのペン先を突出させるものが一般的だが、このタイプは軸筒が太くなり過ぎて携帯性能や筆記性能が落ちてしまうことがある。そこで、両頭式筆記具にすると軸筒は比較的細く出来るが、筆記具をプロペラのように回してペン先を切り替えるというのは高い操作性能とは言い難く、不意に周囲をペン先で汚してしまう。そこで、棒状の筆記具の中央部で分離可能な例えば特許文献１の実施例のような両頭式筆記具にすると、分離状態での筆記時に筆記具全長が短過ぎて手での保持が不安定となり筆記性能が落ちることになる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る筆記具は、例えば図１及び２の組み、図３及び４の組み、図５及び６の組み、のいずれかの組みのように、
棒状の筆記具１の長手方向の一端部２に備えられるペン先３と、
筆記具１の長手方向の中間部４又は他端部６に備えられる収容部５と、
棒状の筆記具１１の長手方向の一端部１２に備えられるペン先１３と、
筆記具１１の長手方向の中間部１４又は他端部１６に備えられる収容部１５と、
を具備し、
筆記具１及び１１が分離されそれぞれ筆記具として機能する分離状態と、
前記分離状態から一端部２及び１２をそれぞれ収容部１５及び５に挿入することで、一端部２及び１２がそれぞれ収容部１５及び５に同時に収容された収容状態と、
前記収容状態を保持して前記分離状態への状態変化を妨げる保持力と、
を有する、筆記具である。
【０００８】
ここで、筆記具とは鉛筆、芯を送り出すタイプの鉛筆、フェルトペン、万年筆、ボールペン、修正ペン、スタイラスペン、芯を送り出すタイプの消しゴム、化粧用のペン、等である。
【０００９】
発明２に係る筆記具は、発明１の筆記具において、例えば図１及び２の組み、又は図３及び４の組みのように、
前記収容状態において、棒状の筆記具１及び１１は略同心となる、筆記具である。
【発明の効果】
【００１０】
以上のように本発明では、収容状態にすると棒状の筆記具１及び１１の一端部２及び１２が収納具を傷めにくく、両頭式筆記具の両端部に蓋をしたような携帯に適したまとまりのある状態となり、少ない工程数で収容状態と分離状態を往来することが出来、分離状態では太過ぎず適度な全長の筆記具１及び１１となり、蓋が分離しないので蓋の紛失や誤飲の心配も無い、というような設計が容易となる。
【００１１】
また、発明２では、本発明の効果に加えて、収容状態でも分離状態の筆記具１又は１１の太さと大差ない、さらに携帯性能の高い筆記具の設計が容易となる。
【図面の簡単な説明】
【００１２】
【図１】第１実施形態の筆記具１の分離状態を表した図
【図２】第１実施形態の収容状態を表した図
【図３】第２実施形態の筆記具１の分離状態を第三角法で表した図
【図４】第２実施形態の収容状態を表した図
【図５】第３実施形態の筆記具１の分離状態を表した図
【図６】第３実施形態の収容状態を表した図
【発明を実施するための形態】
【００１３】
本発明の第１実施形態を図１及び２に基づいて説明する。
【００１４】
全体としておよそ円柱棒状の筆記具１は樹脂一体成形製であり、中央部から一端部２に向かうにつれて軸筒２２は先細り形状９になり内側からフェルトペンのペン芯が突出して先端がペン先３となっており、中央部から他端部６方向は径方向に２７０度程開放された空間７があり、他端部６には一端部２方向に空間７に開口し開口縁にゴムパッキンが装着された収容部５が備えられ、開口に対向する空間７内壁８には磁石が埋め込まれている。
筆記具１を右手に、筆記具１と同一形状の筆記具１１を左手で持って筆記具１及び１１を平行に保ちながら径方向に近付けて内壁８及び１８が擦れ合うように空間７及び１７にそれぞれ軸筒３２及び２２を挿入して筆記具１及び１１が同心位置になってから左手を離してやると、内壁８及び１８にそれぞれ埋め込まれた磁石が同極で対向し磁気反発力によって筆記具１及び１１は長手方向に内壁８及び１８が離れるように移動し、一端部２及び６はそれぞれ収容部１５及び５に挿入されることでゴムパッキンによってペン先３及び１３は密閉され収容状態となる。また、逆の手順で筆記具１及び１１を移動させることで分離状態に戻すことが出来るが、この時妨げとなる磁気反発力が状態変化を妨げる保持力である。ここで、例えば磁石を用いずに、収容部５及び１５開口縁のゴムパッキンにそれぞれ軸筒３２の先細り形状１９及び軸筒２２の先細り形状９を挿入した際のゴムパッキンによる締め付け力を保持力として使用してもよいだろう。
【００１５】
また、例えば筆記具１をフェルトペンではなく芯を送り出すタイプの鉛筆に変更する場合、サイドノック式の送り出し機構が適しており、収容状態において軸筒２２外周の空間１７からはみ出る位置にノック操作部を設けておけば、フェルトペンの筆記具１１とおよそ同一形状として取り扱うことが出来、例えばフェルトペン、芯を送り出すタイプの鉛筆、ボールペン等を単品販売し、ユーザーの好きな種類を選んで購入してもらい、交換も自由自在というような楽しい販売方法が容易となるだろう。
また、芯を送り出すタイプの鉛筆に変更した筆記具１の他端部６に大きな消しゴムを配置する為に収容部５を筆記具１の中央部寄りに移設した場合、収容部５は中間部４に備えられていると言えるだろう。
また、筆記具１をノック式のボールペンに変更する場合は軸筒２２外周にスライド式操作部を設ければよいだろうし、複数のスライド式操作部を設けてペン先を切り替えてもよいだろう。
【００１６】
本発明の第２実施形態を図３及び４に基づいて説明する。
【００１７】
第２実施形態は、第１実施形態の構造を小変更したものであるので、変更箇所について記載する。
第１実施形態の磁石、ゴムパッキン、クリップ１０及び２０を取り去り、フェルトペンからボールペンに変更し、内壁８及び１８を長手方向に対向する面ではなく斜面によって径方向に作用するカム面に変更し、空間７及び１７を径方向に９０度程開放された案内溝に変更し、案内溝の内側２１及び３１でそれぞれ軸筒３２及び２２の外周を素材の弾力性によって挟み込む力が保持力となるものである。
収容状態から他端部６及び１６が長手方向で互いに離れる方向に両手で引いてやると、内壁８及び１８によるカム面が作用して筆記具１及び１１は保持力に逆らって径方向にも離れだし、簡便に分離状態にすることが出来る。ここで、素材の弾力性による保持力の代わりに、例えば筆記具１の長手方向に順にＮ極、Ｓ極という配置で中央部に磁石を埋め込み、収容状態で同一構造の筆記具１１との間に働く磁気吸着力を保持力にしてもよいだろう。
【００１８】
また、第１実施形態のようにフェルトペンで構成する場合は、収容部５及び１５の構造を第１実施形態のように戻し、ゴムパッキンの締め付け力を保持力とすればよいだろう。
【００１９】
また、ペン先３に接続される金属製等の比較的高剛性なペン芯を使用してペン芯を軸筒２２から大きく突出させる構造とすれば、軸筒２２が先細り形状９ではなく寸胴であってもペン先３の視認性は十分確保されるだろう。この時、筆記具１の一端部２はペン先３とペン芯で構成されていると言えるだろう。
【００２０】
本発明の第３実施形態を図５及び６に基づいて説明する。
【００２１】
全体として棒状の筆記具１は四角断面で先細り形状９を有する樹脂製の軸筒２２を備え、筆記具１の一端部２にペン先３、他端部６に軸筒２２に寄り添うように四角断面の蓋がクリップ１０としても機能するように備えられており、蓋の内側が収容部５になっている。
筆記具１を右手に、筆記具１と同一形状の筆記具１１を左手に持って筆記具１及び１１を近付けて軸筒２２及び３２が寄り添うように保ちながら、収容部５の開口から筆記具１１の一端部１２を挿入して軽く圧入してやることで締め付け力による保持力が働く。この手順によって同時に収容部１５にも一端部２が挿入される。この時、軸筒２２と蓋の間にクリップ１０としてメモ用紙を挟むことが出来る適度な弾力性をもって軸筒２２と蓋が連結されているので、筆記具１及び１１の寸法精度が悪くても同時に２つの蓋に一端部２及び１２を圧入することが容易である。また、分離状態でクリップ１０にメモ用紙を挟んでから収容状態にすると、クリップ１０が閉じる方向の力が上昇して、よりしっかりとメモ用紙を挟持することが出来るだろう。
【００２２】
また、同一形状の筆記具を２本以外にも４本、６本・・・と偶数本数用意すれば、すべての筆記具がエンドレスに連結された新たな収容状態を得ることが出来る。
【００２３】
本発明のその他の実施形態を説明する。
【００２４】
前記すべての実施形態において、従来の筆記具に用いられてきた例えば多角形状や涙形状等の様々な断面形状であっても良い。
【００２５】
前記すべての実施形態において、ボールペンやフェルトペンをその他の筆記具に設計変更することは当業者には容易であるので、詳しい記載は省略する。
【符号の説明】
【００２６】
１,１１.                                           筆記具
２,１２.                                           一端部
３,１３.                                           ペン先
４,１４.                                           中間部
５,１５.                                           収容部
６,１６.                                           他端部
７,１７.                                           空間
８,１８.                                           内壁
９,１９.                                           先細り形状
１０,２０.                                       クリップ
２１,３１.                                       内側
２２,３２.                                       軸筒
【図１】
2013078870.tif 000003
【図２】
2013078870.tif 000004
【図３】
2013078870.tif 000005
【図４】
2013078870.tif 000006
【図５】
2013078870.tif 000007
【図６】
2013078870.tif 000008
【手続補正書】
【提出日】平成23年11月23日(2011.11.23)
【手続補正１】
【補正対象書類名】特許請求の範囲
【補正対象項目名】全文
【補正方法】変更
【補正の内容】
【特許請求の範囲】
【請求項１】
棒状の第１筆記具の長手方向の第１一端部に備えられる第１ペン先と、
前記第１筆記具の長手方向の第１中間部又は第１他端部に備えられる第１収容部と、
棒状の第２筆記具の長手方向の第２一端部に備えられる第２ペン先と、
前記第２筆記具の長手方向の第２中間部又は第２他端部に備えられる第２収容部と、
を具備し、
前記第１及び第２筆記具が分離されそれぞれ筆記具として機能する分離状態と、
前記分離状態から前記第１及び第２一端部をそれぞれ前記第２及び第１収容部に挿入することで、前記第１及び第２一端部がそれぞれ前記第２及び第１収容部に同時に収容された収容状態と、
前記収容状態を保持して前記分離状態への状態変化を妨げる保持力と、
を有し、
前記収容状態において、棒状の前記第１及び第２筆記具は略同心となる、
筆記具。
【手続補正２】
【補正対象書類名】明細書
【補正対象項目名】全文
【補正方法】変更
【補正の内容】
【発明の詳細な説明】
【技術分野】
【０００１】
本発明は、筆記具に関する。
【背景技術】
【０００２】
筆記具においては、特許文献１の実施例のように、ペン先が備えられる一端部を蓋に収容自在な２本の棒状の筆記具が同心となるようにそれぞれの他端部に備えられた雌ネジ及び雄ネジを螺合させることで両頭式筆記具の形態となり、携帯しやすくなるアイデアが知られている。
【０００３】
また、筆記具においては、特許文献２の実施例のように、両端部の軸筒が先細り形状であり、軸筒内から出し入れ自在なペン先が備えられる両頭式筆記具のアイデアが知られている。
【先行技術文献】
【特許文献】
【０００４】
【特許文献１】実登３１３８９２０号公報
【特許文献２】特開２００８−３０７８０３号公報
【発明の概要】
【発明が解決しようとする課題】
【０００５】
筆記具においては、移動時に衣服のポケットやペンケース等に収納して携帯されることが多いが、一端部のペン先又は筆記時にペン先への視認性を確保する為に先細り形状にされた一端部の軸筒が収納具を傷めてしまうことがある。また、例えば特許文献２の実施例のような両頭式筆記具では、ノック式筆記具と間違えてノックしようとした指をペン先又は先細り形状の軸筒で傷めてしまうこともある。そこで、両頭式筆記具の両端部のペン先又は軸筒の少なくともいずれかに蓋を被せる方式にすると、蓋をしていれば収納具や指を傷めにくい設計が容易であるが、蓋の付け外しや保管は煩わしく、また子供の蓋誤飲問題も考慮する必要がある。また、複式筆記具では一端部に複数のペン先を備え操作部で選択して１つのペン先を突出させるものが一般的だが、このタイプは軸筒が太くなり過ぎて携帯性能や筆記性能が落ちてしまうことがある。そこで、両頭式筆記具にすると軸筒は比較的細く出来るが、筆記具をプロペラのように回してペン先を切り替えるというのは高い操作性能とは言い難く、不意に周囲をペン先で汚してしまう。そこで、棒状の筆記具の中央部で分離可能な例えば特許文献１の実施例のような両頭式筆記具にすると、分離状態での筆記時に筆記具全長が短過ぎて手での保持が不安定となり筆記性能が落ちることになる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る筆記具は、例えば図１及び２の組み、又は図３及び４の組みのように、
棒状の筆記具１の長手方向の一端部２に備えられるペン先３と、
筆記具１の長手方向の中間部４又は他端部６に備えられる収容部５と、
棒状の筆記具１１の長手方向の一端部１２に備えられるペン先１３と、
筆記具１１の長手方向の中間部１４又は他端部１６に備えられる収容部１５と、
を具備し、
筆記具１及び１１が分離されそれぞれ筆記具として機能する分離状態と、
前記分離状態から一端部２及び１２をそれぞれ収容部１５及び５に挿入することで、一端部２及び１２がそれぞれ収容部１５及び５に同時に収容された収容状態と、
前記収容状態を保持して前記分離状態への状態変化を妨げる保持力と、
を有し、
前記収容状態において、棒状の筆記具１及び１１は略同心となる、筆記具である。
【０００８】
ここで、筆記具とは鉛筆、芯を送り出すタイプの鉛筆、フェルトペン、万年筆、ボールペン、修正ペン、スタイラスペン、芯を送り出すタイプの消しゴム、化粧用のペン、等である。
【発明の効果】
【０００９】
以上のように本発明では、収容状態にすると棒状の筆記具１及び１１の一端部２及び１２が収納具を傷めにくく、両頭式筆記具の両端部に蓋をしたような携帯に適したまとまりのある状態となり、少ない工程数で収容状態と分離状態を往来することが出来、分離状態では太過ぎず適度な全長の筆記具１及び１１となり、蓋が分離しないので蓋の紛失や誤飲の心配も無く、収容状態でも分離状態の筆記具１又は１１の太さと大差ない、というような設計が容易となる。
【図面の簡単な説明】
【００１０】
【図１】第１実施形態の筆記具１の分離状態を表した図
【図２】第１実施形態の収容状態を表した図
【図３】第２実施形態の筆記具１の分離状態を第三角法で表した図
【図４】第２実施形態の収容状態を表した図
【発明を実施するための形態】
【００１１】
本発明の第１実施形態を図１及び２に基づいて説明する。
【００１２】
全体としておよそ円柱棒状の筆記具１は樹脂一体成形製であり、中央部から一端部２に向かうにつれて軸筒２２は先細り形状９になり内側からフェルトペンのペン芯が突出して先端がペン先３となっており、中央部から他端部６方向は径方向に２７０度程開放された空間７があり、他端部６には一端部２方向に空間７に開口し開口縁にゴムパッキンが装着された収容部５が備えられ、開口に対向する空間７内壁８には磁石が埋め込まれている。
筆記具１を右手に、筆記具１と同一形状の筆記具１１を左手で持って筆記具１及び１１を平行に保ちながら径方向に近付けて内壁８及び１８が擦れ合うように空間７及び１７にそれぞれ軸筒３２及び２２を挿入して筆記具１及び１１が同心位置になってから左手を離してやると、内壁８及び１８にそれぞれ埋め込まれた磁石が同極で対向し磁気反発力によって筆記具１及び１１は長手方向に内壁８及び１８が離れるように移動し、一端部２及び６はそれぞれ収容部１５及び５に挿入されることでゴムパッキンによってペン先３及び１３は密閉され収容状態となる。また、逆の手順で筆記具１及び１１を移動させることで分離状態に戻すことが出来るが、この時妨げとなる磁気反発力が状態変化を妨げる保持力である。ここで、例えば磁石を用いずに、収容部５及び１５開口縁のゴムパッキンにそれぞれ軸筒３２の先細り形状１９及び軸筒２２の先細り形状９を挿入した際のゴムパッキンによる締め付け力を保持力として使用してもよいだろう。
【００１３】
また、例えば筆記具１をフェルトペンではなく芯を送り出すタイプの鉛筆に変更する場合、サイドノック式の送り出し機構が適しており、収容状態において軸筒２２外周の空間１７からはみ出る位置にノック操作部を設けておけば、フェルトペンの筆記具１１とおよそ同一形状として取り扱うことが出来、例えばフェルトペン、芯を送り出すタイプの鉛筆、ボールペン等を単品販売し、ユーザーの好きな種類を選んで購入してもらい、交換も自由自在というような楽しい販売方法が容易となるだろう。
また、芯を送り出すタイプの鉛筆に変更した筆記具１の他端部６に大きな消しゴムを配置する為に収容部５を筆記具１の中央部寄りに移設した場合、収容部５は中間部４に備えられていると言えるだろう。
また、筆記具１をノック式のボールペンに変更する場合は軸筒２２外周にスライド式操作部を設ければよいだろうし、複数のスライド式操作部を設けてペン先を切り替えてもよいだろう。
【００１４】
本発明の第２実施形態を図３及び４に基づいて説明する。
【００１５】
第２実施形態は、第１実施形態の構造を小変更したものであるので、変更箇所について記載する。
第１実施形態の磁石、ゴムパッキン、クリップ１０及び２０を取り去り、フェルトペンからボールペンに変更し、内壁８及び１８を長手方向に対向する面ではなく斜面によって径方向に作用するカム面に変更し、空間７及び１７を径方向に９０度程開放された案内溝に変更し、案内溝の内側２１及び３１でそれぞれ軸筒３２及び２２の外周を素材の弾力性によって挟み込む力が保持力となるものである。
収容状態から他端部６及び１６が長手方向で互いに離れる方向に両手で引いてやると、内壁８及び１８によるカム面が作用して筆記具１及び１１は保持力に逆らって径方向にも離れだし、簡便に分離状態にすることが出来る。ここで、素材の弾力性による保持力の代わりに、例えば筆記具１の長手方向に順にＮ極、Ｓ極という配置で中央部に磁石を埋め込み、収容状態で同一構造の筆記具１１との間に働く磁気吸着力を保持力にしてもよいだろう。
【００１６】
また、第１実施形態のようにフェルトペンで構成する場合は、収容部５及び１５の構造を第１実施形態のように戻し、ゴムパッキンの締め付け力を保持力とすればよいだろう。
【００１７】
また、ペン先３に接続される金属製等の比較的高剛性なペン芯を使用してペン芯を軸筒２２から大きく突出させる構造とすれば、軸筒２２が先細り形状９ではなく寸胴であってもペン先３の視認性は十分確保されるだろう。この時、筆記具１の一端部２はペン先３とペン芯で構成されていると言えるだろう。
【００１８】
本発明のその他の実施形態を説明する。
【００１９】
前記すべての実施形態において、従来の筆記具に用いられてきた例えば多角形状や涙形状等の様々な断面形状であっても良い。
【００２０】
前記すべての実施形態において、ボールペンやフェルトペンをその他の筆記具に設計変更することは当業者には容易であるので、詳しい記載は省略する。
【符号の説明】
【００２１】
１,１１.                                           筆記具
２,１２.                                           一端部
３,１３.                                           ペン先
４,１４.                                           中間部
５,１５.                                           収容部
６,１６.                                           他端部
７,１７.                                           空間
８,１８.                                           内壁
９,１９.                                           先細り形状
１０,２０.                                       クリップ
２１,３１.                                       内側
２２,３２.                                       軸筒
【手続補正３】
【補正対象書類名】図面
【補正対象項目名】全図
【補正方法】変更
【補正の内容】
【図１】
2013078870.tif 000009
【図２】
2013078870.tif 000010
【図３】
2013078870.tif 000011
【図４】
2013078870.tif 000012